(57)【要約】【課題】目開きの小さい網状板を使用する場合においても、容易に組立及び分解を行うことができ、しかも省スペースで低価格な網状構造体を提供すること。【解決手段】網状板本体の周縁部を支持する枠体と、この枠体の外周を取り囲むように所定の間隔をおいて配置され前記枠体に部分的に連結された外枠体とを備えた網状板２０，３０，４０を複数組み合わせて形成した網状構造体１０において、網状板２０，３０，４０の外枠体どうしを螺旋状コイル５０で連結することによって、小屋状又は囲い状に形成した。【選択図】図１
2014023438.tif 000002
【特許請求の範囲】
【請求項１】
網状板本体の周縁部を支持する枠体と、この枠体の外周を取り囲むように所定の間隔をおいて配置され前記枠体に部分的に連結された外枠体とを備えた網状板を複数組み合わせて形成した網状構造体であって、
前記網状板の外枠体どうしを螺旋状コイルで連結することによって、小屋状又は囲い状に形成した網状構造体。
【請求項２】
前記網状板本体が金網からなり、前記金網の周縁部の各端部を溶融処理により玉状とした請求項１に記載の網状構造体。
【請求項３】
小動物の飼育用に使用される請求項１又は２に記載の網状構造体。
【発明の詳細な説明】
【技術分野】
【０００１】
本発明は、小屋状又は囲い状に形成され、鶏、子豚、うさぎ、十姉妹、インコ等の小動物の飼育用に好適に使用される網状構造体に関する。
【背景技術】
【０００２】
小動物の飼育小屋としては、種々のものが提案されているが、これらの飼育小屋を子供から高齢者に至るまで幅広く普及させるには、組立及び分解の容易化、省スペース化、並びに低価格化が必要である。
【０００３】
このようなニーズに対応するために、金網を用いた網状構造体の適用が考えられ、本出願人は、特許文献１において、網状構造体からなる動物捕獲用檻を提案した。
【０００４】
この動物捕獲用檻は、平金網の周縁部どうしを、線状コイルを螺旋状に巻き付けて連結することによって組み立て、また、前記線状コイルを取り外すことによって分解するようにしたものである。これにより、組立て及び分解が容易となり、また、運搬や保管は組立前の平金網の状態で行うことができるので省スペース化を図ることができる。
【０００５】
しかし、この動物捕獲用檻の構造を小動物の飼育小屋に適用しようとすると以下の問題が生じる。すなわち、小動物の飼育小屋においては、平金網の目開きを小動物が逃げ出さないように小さくする必要がある。特に、十姉妹、インコ等の小鳥を飼育する場合は、その目開きは１０〜２０ｍｍ程度にする必要がある。しかし、小さい目開きの平金網の周縁部どうしを、線状コイルを螺旋状に巻き付けて連結しようとすると、金網の素線が邪魔になり、線状コイルを螺旋状に巻き付けることが困難であり、その連結も不安定となる。
【先行技術文献】
【特許文献】
【０００６】
【特許文献１】登録実用新案第３１４７７０１号公報
【発明の概要】
【発明が解決しようとする課題】
【０００７】
本発明が解決しようとする課題は、目開きの小さい網状板を使用する場合においても、容易に組立及び分解を行うことができ、しかも省スペースで低価格な網状構造体を提供することにある。
【課題を解決するための手段】
【０００８】
本発明の網状構造体は、網状板本体の周縁部を支持する枠体と、この枠体の外周を取り囲むように所定の間隔をおいて配置され前記枠体に部分的に連結された外枠体とを備えた網状板を複数組み合わせて形成した網状構造体であって、前記網状板の外枠体どうしを螺旋状コイルで連結することによって、小屋状又は囲い状に形成したものである。
【０００９】
本発明において、前記網状板本体は金網によって構成することができ、この場合、金網の周縁部の各端部は溶融処理により玉状とすることが好ましい。
【００１０】
本発明の網状構造体は、小動物の飼育用に好適に使用される。
【発明の効果】
【００１１】
本発明によれば、網状板本体の周縁部を支持する枠体の外側に所定の間隔をおいて外枠体を設け、この外枠体どうしを螺旋状コイルで連結するようにしたことで、網状板本体の目開きが小さい場合であっても、容易に螺旋状コイルで連結することができる。したがって、網状構造体の組立を容易かつ確実に行うことができる。また、螺旋状コイルを取り外すだけで分解できるので分解も容易で、撤去及び移設も容易に行うことができる。
【００１２】
運搬や保管は組立前の網状板の状態で行うことができるので、運搬を容易に行うことができ、保管スペースも小さくて済み省スペース化を図ることができる。
【００１３】
本発明の網状構造体の構成材料は、網状板と螺旋状コイルだけで済むので、低価格で提供可能である。
【００１４】
複数の網状板を適宜組み合わせることで、任意の大きさ及び形状の網状構造体を形成することができ、多様なニーズに対応可能である。
【図面の簡単な説明】
【００１５】
【図１】本発明の一実施例による網状構造体を示す斜視図である。
【図２】図１の網状構造体を構成する網状板の構成を示す平面図である。
【図３】図１の網状構造体を構成する網状板どうしの連結構造を示し、（ａ）はその平面図、（ｂ）はその要部の拡大平面図である。
【発明を実施するための形態】
【００１６】
以下、図面に示す実施例に基づき、本発明の実施の形態を説明する。
【００１７】
図１は、本発明の一実施例による網状構造体を示す斜視図である。図１に示す網状構造体１０は、小動物の飼育小屋として使用される。
【００１８】
図１の網状構造体１０は、長方形状（縦１ｍ、横２ｍ）の網状板２０（６枚）、台形状（上底１ｍ、下底２ｍ）の網状板３０（２枚）、正方形状（縦１ｍ、横１ｍ）の網状板４０（２枚）を連結し組み合わせて形成されたものである。
【００１９】
図２は、各網状板２０，３０，４０の構成を示す平面図である。網状板２０，３０，４０は、網状板本体２１，３１，４１と、網状板本体２１，３１，４１の周縁部を支持固定する枠体２２，３２，４２と、枠体２２，３２，４２の外周を取り囲むように所定の間隔をおいて配置された外枠体２３，３３，４３とを備えてなり、外枠体２３，３３，４３は、所定の間隔をおいて縦横に架け渡されたリブ２４，３４，４４によって、枠体２２，３２，４２と部分的に連結されている。
【００２０】
本実施例において、網状板本体２１，３１，４１としては、４ｍｍ径の金属線を２０×１６ｍｍの目開き（開口）を有するように亀甲状に編み込んだ金網を使用している。また、枠体２２，３２，４２、外枠体２３，３３，４３及びリブ２４，３４，４４は、いずれも５ｍｍ径の金属線により形成している。枠体２２，３２，４２と外枠体２３，３３，４３との間の隙間は、約２５ｍｍとしている。
【００２１】
図１の網状構造体１０は、上述のとおり、網状板２０、網状板３０及び網状板４０を連結し組み合わせて形成されるが、以下、その連結構造を網状板２０どうしの連結を例に説明する。図３は、網状板２０どうしの連結構造を示し、（ａ）はその平面図、（ｂ）はその要部の拡大平面図である。
【００２２】
図３に示すように、２枚の網状板２０は、その外枠体２３どうしを螺旋状コイル５０で連結することによって連結される。具体的には、あらかじめ螺旋状に形成した螺旋状コイル５０を準備しておき、連結する２枚の網状板２０の外枠体２３どうしを近接させたうえで、その一端側から螺旋状コイル５０を、２つの外枠体２３を取り囲むように装着する。その後、螺旋状コイル５０をその長軸周りに回転させながら他端側に向けて前進させる。これにより、２枚の網状板２０の外枠体２３どうしが螺旋状コイル５０に取り囲まれて連結される。なお、網状板２０は横方向の長さが２ｍと長いので、長さ１ｍの螺旋状コイル５０を２本準備し、それぞれの螺旋状コイル５０を連結部分の両端部から中央側に向けて前進させて装着するようにしてもよい。なお、本実施例において、螺旋状コイル５０は５ｍｍ径の金属線により形成し、コイル径は３０ｍｍとしている。
【００２３】
本実施例では上述のとおり、網状板本体２１として亀甲状の金網を使用しており、その周縁部の各端部２１ａは、図３（ｂ）に示すように溶融処理により玉状としている。具体的には、連結前の１枚の網状板２０の状態で、網状板本体２１の周縁部を支持固定する枠体２２に沿って溶接用のバーナ等の加熱源を移動させながら網状板本体２１の周縁部の各端部２１ａを溶融させ玉状化する。これにより、網状板本体２１の各端部２１ａが滑らかになり、使用者の怪我を予防できる。
【００２４】
図３では、網状板２０どうしの連結例を示したが、他の網状板３０，４０についても同様に、その外枠体どうしを螺旋状コイル５０で連結することによって連結できる。
【００２５】
図１に示すように、本実施例では、２枚の網状板４０を組み合わせることで、小動物の飼育小屋である網状構造体１０の内部に出入りするための開閉扉を設けている。２枚の網状板４０は、螺旋状コイルとしてのコイルスプリング６０によって開閉可能に連結されおり、開閉扉となる網状板４０の側辺には、螺旋状コイル５０を巻き付けた上で、その螺旋状コイル５０に操作棒７０を差し込んで装着している。
【００２６】
以上のとおり、図１に示す網状構造体１０は、網状板２０，３０，４０の外枠体２３，３３，４３どうしを螺旋状コイル５０で連結することによって、容易に小屋状に組み立てることができる。また、螺旋状コイル５０を取り外すことにより、容易に分解できる。
【００２７】
なお、本実施例では、網状板２０，３０，４０の枠体２２，３２，４２と外枠体２３，３３，４３とをリブ２４，３４，４４によって部分的に連結するようにしたが、その連結方法はこれに限定されない。要するに、枠体２２，３２，４２と外枠体２３，３３，４３とを部分的に連結すればよく、例えば枠体２２，３２，４２と外枠体２３，３３，４３の四隅部のみを連結するようにしてもよい。
【００２８】
また、網状板２０，３０，４０に着色を施せば、装飾性を向上させることができる。
【産業上の利用可能性】
【００２９】
本発明の網状構造体は、小動物の飼育小屋のほか小動物の飼育用の囲い、あるいは、ビニールハウスの基礎構造体や植物の栽培用培地の囲い等としても利用可能である。
【符号の説明】
【００３０】
１０  網状構造体
２０，３０，４０  網状板
２１，３１，４１  網状板本体（金網）
２２，３２，４２  枠体
２３，３３，４３  外枠体
２４，３４，４４  リブ
５０  螺旋状コイル
６０  コイルスプリング（螺旋状コイル）
７０  操作棒
【図１】
2014023438.tif 000003
【図２】
2014023438.tif 000004
【図３】
2014023438.tif 000005